(57)【要約】【課題】壁孔をボックス本体の開口よりも小さくすることができるとともに、長さに余裕を持った余長部を有するケーブルを収容することができ、さらにそのケーブルを損傷を受けにくくすることができる配線ボックス及び同配線ボックスを形成するための閉塞部材を提供する。【解決手段】ボックス本体１２には三つの設置スペースＳ１〜Ｓ３が設けられ、そのボックス本体１２に閉塞部材２０を取付けることにより、配線ボックス１１を構成するとともに、設置スペースＳ１，Ｓ３を開放させ、残りの設置スペースＳ２を閉塞壁２１により閉塞することができる。そのため、ボックス本体１２内全体をケーブルＫの収容空間として使用することができ、設置スペースＳ１からケーブルＫを引き出すことが可能となる。【選択図】      図１
2005110365.tif 000002
【特許請求の範囲】
【請求項１】
壁材の裏側に配設され、正面に開口を有する箱状をなすとともに、その内側に相対向する一対の配線器具取着部が複数箇所に設けられ、それら一対の配線器具取着部間にそれぞれ配線器具の設置スペースが設けられたボックス本体と、
同ボックス本体に取付けられ、前記設置スペースを閉塞可能な閉塞壁を備えるとともに、隣接する設置スペース同士の間を連通させる連通開口を備える閉塞部材と
より構成され、前記閉塞部材がボックス本体に取り付けられることにより、複数の設置スペースのうち、配線器具設置用に壁材の表側に向かって開放される設置スペースに隣接するとともに、前記壁材の裏側に隠される設置スペースが前記閉塞壁によって閉塞され、その閉塞された設置スペースと、開放される設置スペースとが前記連通開口により連通していることを特徴とする配線ボックス。  
【請求項２】
前記閉塞部材に設けられた取付部と、ボックス本体に設けられた取付手段との協働により、閉塞部材がボックス本体に取付けられ、前記取付手段がボックス本体に複数箇所に形成されていることにより、閉塞すべく選択された設置スペースに対応して閉塞部材のボックス本体に対する取付位置を変更可能であることを特徴とする請求項１に記載の配線ボックス。
【請求項３】
前記壁材の表側に向かって設置スペースを開放すべく同壁材は切断工具により切断され、前記開放される設置スペースの側縁に沿って壁材を切断するために、前記切断工具を前記側縁に沿って案内するためのガイド面が前記閉塞部材に設けられていることを特徴とする請求項１又は請求項２に記載の配線ボックス。
【請求項４】
前記閉塞壁はボックス本体の開口側端面と同一平面上又は開口側端面より内側に設けられていることを特徴とする請求項１〜請求項３のいずれか一項に記載の配線ボックス。    
【請求項５】
壁材の裏側に配設され、正面に開口を有する箱状をなすとともに、その内側に相対向する一対の配線器具取着部が複数箇所に設けられ、それら一対の配線器具取着部間にそれぞれ配線器具の設置スペースが設けられたボックス本体に取付けられ、複数の設置スペースのうち、配線器具設置用に壁材の表側に向かって開放される設置スペースに隣接するとともに、前記壁材の裏側に隠される設置スペースを閉塞する閉塞壁と、その閉塞された設置スペース及び開放される設置スペースを連通させる連通開口とを備え、ボックス本体に取り付けられることにより、同ボックス本体に前記閉塞壁及び連通開口が設けられた配線ボックスを形成することを特徴とする配線ボックスを形成するための閉塞部材。
【請求項６】
前記壁材の表側に向かって設置スペースを開放すべく同壁材は切断工具により切断され、前記開放される設置スペースの側縁に沿って壁材を切断するために、前記切断工具を前記側縁に沿って案内するためのガイド面が設けられていることを特徴とする請求項５に記載の配線ボックスを形成するための閉塞部材。
【請求項７】
前記閉塞壁には、当該閉塞壁をボックス本体の開口側に支持するために、ボックス本体の底面に当接する支持脚が立設されていることを特徴とする請求項５又は請求項６に記載の配線ボックスを形成するための閉塞部材。
【発明の詳細な説明】
【技術分野】
【０００１】
本発明は、例えば、配線器具を壁に設置するために使用される配線ボックス及び同配線ボックスを形成するための閉塞部材に関する。
【背景技術】
【０００２】
従来より建物の壁面に配線器具を設置するために、その壁裏には配線ボックスが配設されている（例えば、特許文献１参照。）。このような配線ボックス（特許文献１では配線用ボックス）は前面に開口を有する四角箱状に形成され、内部に一個又は二個の配線器具を収容可能な大きさに形成されている。そして、配線ボックスは、建物内に立設された柱に固定され、内部にケーブルが引込まれた後、配線ボックスの前後に壁材が立設されて壁裏（壁内）に配設される。さらに、前記壁に配線器具を設置するには、前記壁材において、配線ボックスの開口と対応する位置を切除して壁孔を穿設し、その壁孔からケーブルを引き出して配線器具に接続される。このとき、前記壁孔は、配線ボックスの開口を形成する内壁面に沿って切断工具を移動させることにより、前記開口と同形状をなすように壁材に穿設される。
【０００３】
また、配線器具を設置する際、壁材の表側までケーブルを引き出す必要があるため、配線ボックスの設置段階では、ケーブルを巻回して長さに余裕を持たせた状態、即ち余長部を有する状態で配線ボックス内に収容されている。そのため、特許文献１に記載されたような配線ボックスにおいては、複数本のケーブルを余長部を有する状態で内部に収容するには狭くて困難であった。そこで、近時では、壁に設置される配線器具の個数が二個である場合は、三個以上の配線器具を収容可能とする大型の配線ボックスを用いるようになってきている。そのため、配線ボックス内には、二個の配線器具しか収容されていない状態で、二個用の配線ボックスよりも広い収容空間が確保され、複数本のケーブルを余長部を有する状態で収容することが可能となる。
【特許文献１】特開２００３−１４３７３７号公報
【発明の開示】
【発明が解決しようとする課題】
【０００４】
ところが、配線ボックスは、開口が開放されたままの状態で壁裏に設置されている。そのため、大型の配線ボックスを用いた場合、その開口を利用して上記方法で壁材に壁孔が穿設されると、大型の配線ボックスの開口と同形状の壁孔が穿設されてしまうという問題があった。また、例えば、壁材の表側から釘等が打ち込まれると、壁材を貫通した釘等が、配線ボックスの開口から収容空間内に容易に侵入してしまい、ケーブルが損傷を受けやすいという問題があった。
【０００５】
本発明は、上記従来の技術に存在する問題点に着目してなされたものである。その目的とするところは、壁孔をボックス本体の開口よりも小さくすることができるとともに、長さに余裕を持った余長部を有するケーブルを収容することができ、さらにそのケーブルを損傷を受けにくくすることができる配線ボックス及び同配線ボックスを形成するための閉塞部材を提供することにある。
【課題を解決するための手段】
【０００６】
上記問題点を解決するために、請求項１に記載の発明は、壁材の裏側に配設され、正面に開口を有する箱状をなすとともに、その内側に相対向する一対の配線器具取着部が複数箇所に設けられ、それら一対の配線器具取着部間にそれぞれ配線器具の設置スペースが設けられたボックス本体と、同ボックス本体に取付けられ、前記設置スペースを閉塞可能な閉塞壁を備えるとともに、隣接する設置スペース同士の間を連通させる連通開口を備える閉塞部材とより構成され、前記閉塞部材がボックス本体に取り付けられることにより、複数の設置スペースのうち、配線器具設置用に壁材の表側に向かって開放される設置スペースに隣接するとともに、前記壁材の裏側に隠される設置スペースが前記閉塞壁によって閉塞され、その閉塞された設置スペースと、開放される設置スペースとが前記連通開口により連通していることを要旨とする。
【０００７】
請求項２に記載の発明は、請求項１に記載の配線ボックスにおいて、前記閉塞部材に設けられた取付部と、ボックス本体に設けられた取付手段との協働により、閉塞部材がボックス本体に取付けられ、前記取付手段がボックス本体に複数箇所に形成されていることにより、閉塞すべく選択された設置スペースに対応して閉塞部材のボックス本体に対する取付位置を変更可能であることを要旨とする。
【０００８】
請求項３に記載の発明は、請求項１又は請求項２に記載の配線ボックスにおいて、前記壁材の表側に向かって設置スペースを開放すべく同壁材は切断工具により切断され、前記開放される設置スペースの側縁に沿って壁材を切断するために、前記切断工具を前記側縁に沿って案内するためのガイド面が前記閉塞部材に設けられていることを要旨とする。
【０００９】
請求項４に記載の発明は、請求項１〜請求項３のいずれか一項に記載の配線ボックスにおいて、前記閉塞壁はボックス本体の開口側端面と同一平面上又は開口側端面より内側に設けられていることを要旨とする。
【００１０】
請求項５に記載の発明は、壁材の裏側に配設され、正面に開口を有する箱状をなすとともに、その内側に相対向する一対の配線器具取着部が複数箇所に設けられ、それら一対の配線器具取着部間にそれぞれ配線器具の設置スペースが設けられたボックス本体に取付けられ、複数の設置スペースのうち、配線器具設置用に壁材の表側に向かって開放される設置スペースに隣接するとともに、前記壁材の裏側に隠される設置スペースを閉塞する閉塞壁と、その閉塞された設置スペース及び開放される設置スペースを連通させる連通開口とを備え、ボックス本体に取り付けられることにより、同ボックス本体に前記閉塞壁及び連通開口が設けられた配線ボックスを形成することを要旨とする。
【００１１】
請求項６に記載の発明は、請求項５に記載の配線ボックスを形成するための閉塞部材において、前記壁材の表側に向かって設置スペースを開放すべく同壁材は切断工具により切断され、前記開放される設置スペースの側縁に沿って壁材を切断するために、前記切断工具を前記側縁に沿って案内するためのガイド面が設けられていることを要旨とする。
【００１２】
請求項７に記載の発明は、請求項５又は請求項６に記載の配線ボックスを形成するための閉塞部材において、前記閉塞壁には、当該閉塞壁をボックス本体の開口側に支持するために、ボックス本体の底面に当接する支持脚が立設されていることを要旨とする。
【００１３】
（作用）
請求項１又は請求項５に記載の発明によれば、ボックス本体に閉塞部材を取付けることにより、壁材の表側に開放される設置スペースに隣接し、壁材の裏側に隠れる設置スペースは閉塞壁によって閉塞される。そのため、壁材の裏側に隠れる複数の設置スペース全部が開放されることがなくなり、壁孔を壁材に穿設するために利用される設置スペースは、ボックス本体の開口全体が開放されていた場合よりも狭くなる。さらに、この閉塞部材の連通開口により、閉塞壁により閉塞された設置スペースと、壁材の表側に開放される設置スペースとが遮断されることなく連通し、ケーブルの余長部を収容するための空間が壁材の裏側に確保される。
【００１４】
請求項２に記載の発明によれば、請求項１に記載の発明の作用に加え、閉塞部材はボックス本体と別体であり、ボックス本体には取付手段が複数箇所に形成されているため、閉塞部材のボックス本体に対する取付位置を適宜選択することができる。このため、ボックス本体において、開放させる設置スペースの位置、大きさ等を変更することができ、ボックス本体の使用範囲を広げることができる。
【００１５】
請求項３に記載の発明によれば、請求項１又は請求項２に記載の発明の作用に加え、ガイド面を利用することにより、配線器具設置のために開放される設置スペースの開口縁に沿って壁材が切断されるように切断工具を案内させることが可能となる。
【００１６】
請求項４に記載の発明によれば、請求項１〜請求項３のいずれか一項に記載の発明の作用に加え、ボックス本体の前面側に壁材が立設されたとき、ボックス本体の開口側端面を壁材に当接させることができる。
【００１７】
請求項６に記載の発明によれば、請求項５に記載の発明の作用に加え、ガイド面を利用することにより、配線器具設置のために開放される設置スペースの開口縁に沿って壁材が切断されるように切断工具を案内させることが可能となる。
【００１８】
請求項７に記載の発明によれば、請求項５又は請求項６に記載の発明の作用に加え、底面から支持脚の長さだけ離れた位置に、閉塞壁を支持することが可能となる。
【発明の効果】
【００１９】
本発明によれば、壁孔をボックス本体の開口よりも小さくすることができるとともに、長さに余裕を持った余長部を有するケーブルを収容することができ、さらにそのケーブルを損傷を受けにくくすることができる配線ボックス及び同配線ボックスを形成するための閉塞部材を提供することができる。
【発明を実施するための最良の形態】
【００２０】
以下、本発明を具体化した配線ボックス及び同配線ボックスを形成するための閉塞部材の一実施形態を図１〜図５にしたがって説明する。
図１に示すように、合成樹脂材料製の配線ボックス１１は、前面に開口を有する四角箱状をなすボックス本体１２と、ボックス本体１２に取付けられる略四角板状をなす閉塞部材２０とから形成されている。前記ボックス本体１２は、長方形状をなす底壁１２ａと、その底壁１２ａの上下側縁部から立設された相対向する上壁１２ｂ及び下壁１２ｃと、底壁１２ａの左右側縁部から立設された相対向する左側壁１２ｄ及び右側壁１２ｅとより形成されている。そして、ボックス本体１２内、即ち底壁１２ａ、上壁１２ｂ、下壁１２ｃ、左側壁１２ｄ及び右側壁１２ｅに囲まれた空間にはケーブルＫ、配線器具等を収容するための収容空間が形成されている。この収容空間には前記ケーブルＫを巻回して長さに余裕を持たせた余長部Ｙを有する状態で収容することができるようになっている。図２に示すように、前記上壁１２ｂ及び下壁１２ｃ（図２では上壁１２ａのみ図示）には、それぞれ電線管接続孔１３が六箇所ずつ穿設されている。なお、前記電線管接続孔１３のうち、左右両側の電線管接続孔１３はそれぞれ開放され、残りの電線管接続孔１３はそれぞれノック部材１４により閉塞されている。
【００２１】
また、図２及び図４に破線に示すように、上壁１２ｂ及び下壁１２ｃの内面において、それら上壁１２ｂ及び下壁１２ｃを左右方向にほぼ三等分する位置となる２箇所には、それぞれ相対向する一対の突条１６が設けられている。図１に示すように、これら突条１６はボックス本体１２の深さ方向へ延びるように形成され、図２に破線に示すように、相対向する一対の突条１６の間には、それぞれ取付溝１６ａが形成されている。それら取付溝１６ａはそれぞれ閉塞部材２０をボックス本体１２に取付けるための取付手段として形成されている。
【００２２】
また、図１に示すように、前記上壁１２ｂ及び下壁１２ｃの内面には、それぞれ配線器具取着部１５が３箇所に設けられ、それら配線器具取着部１５はそれぞれ上下に相対向しているとともに、端面がボックス本体１２の開口側に臨むように形成されている。各上下一対の配線器具取着部１５の間には、それぞれ正面視が略縦長長方形状をなす配線器具の設置スペースＳ１〜Ｓ３が設けられている。即ち、ボックス本体１２内の収容空間は、設置スペースＳ１〜Ｓ３が連通して形成され、その収容空間が各設置スペースＳ１〜Ｓ３に三分割されている。また、収容空間は、配線器具取着部１５が一箇所だけに設けられた配線ボックスの内側の空間より広くなっている。
【００２３】
前記設置スペースＳ１の左右方向への長さは、左側壁１２ｄの内面からボックス本体１２内の左側に形成された上下各取付溝１６ａまでであり、設置スペースＳ３の左右方向への長さは、右側壁１２ｅの内面からボックス本体１２内の右側に形成された上下各取付溝１６ａまでである。そして、設置スペースＳ２の左右方向への長さは、左右両取付溝１６ａ間の長さである。各設置スペースＳ１〜Ｓ３は、それぞれ上記のような左右方向への長さを幅とし、さらに、ボックス本体１２の開口の上下方向への長さを高さとし、ボックス本体１２の深さ方向への長さを奥行きとする空間によって形成されている。前記上壁１２ｂ及び下壁１２ｃにおいて、各配線器具取着部１５の両側となる位置には、前記取付手段としての係合孔１６ｂが一対ずつ穿設され、ボックス本体１２には３箇所に係合孔１６ｂが設けられている。
【００２４】
そして、上下一対の配線器具取着部１５により、ボックス本体１２に配線器具を取着することが可能となっている。即ち、図示しないが一個又は二個の配線器具を保持した取付枠の上下に固定ビスを挿通し、それら固定ビスを上下に相対向する配線器具取着部１５に螺着する。すると、前記配線器具が、配線器具取着部１５に対応する設置スペースＳ１〜Ｓ３に収容されるとともに、収容空間に収容された状態でボックス本体１２に取着される。
【００２５】
次に、前記閉塞部材２０について説明する。図３に示すように、合成樹脂製の閉塞部材２０は、略四角板状をなす閉塞壁２１と、その閉塞壁２１の四隅から延設された四本の支持脚２２とから構成されている。前記閉塞壁２１の短辺方向への長さは、設置スペースＳ１〜Ｓ３の左右方向への長さよりわずかに短く設定されている。一方、閉塞壁２１の長辺方向への長さは、ボックス本体１２の上下方向への開口長さより僅かに短く設定されている。そして、閉塞壁２１は、設置スペースＳ１〜Ｓ３のうちの一つの正面形状の略１倍の大きさに設定されているため、各設置スペースＳ１〜Ｓ３のうちの一つのみを閉塞可能な大きさに設定されている。そして、閉塞部材２０を二つ使用すれば、二つの設置スペースを閉塞することができ、閉塞部材２０の個数と同じ数の設置スペースを閉塞することができる。
【００２６】
前記閉塞部材２０の上下に相対向する短側縁の中央部はそれぞれ円弧状に凹み、その凹んだ部位には取付凹部２３が設けられている。また、閉塞部材２０の両短辺の端縁には、それぞれ一対の取付突起２４が、前記取付凹部２３を挟むように突設されている。この取付突起２４は前記係合孔１６ｂに係合可能に形成されている。そして、取付突起２４は係合孔１６ｂとの協働により、閉塞部材２０をボックス本体１２に取付けるための取付部として閉塞部材２０に設けられている。さらに、閉塞壁２１の中央部には、一対の円孔２５が穿設されている。閉塞壁２１の相対向する一対の長辺側にはそれぞれガイド面２６が設けられ、各ガイド面２６はそれぞれ一定の幅を有するとともに、閉塞壁２１に対して直交するように形成されている。前記支持脚２２は、前記取付溝１６ａに挿入可能に形成されている。そして、支持脚２２は、取付溝１６ａとの協働により、閉塞部材２０をボックス本体１２に取付けるための取付部として形成されている。閉塞壁２１の長辺方向に隣接する支持脚２２の間には、連通開口２９が形成されている。
【００２７】
さて、ボックス本体１２及び閉塞部材２０により配線ボックス１１を形成して配線器具を取付けるには、まず、図１及び図４に示すように、ボックス本体１２の左側壁１２ｄ側を建物内に立設された柱３１に当接させた状態でビス３２により固定する。次に、上壁１２ｂの左側の電線管接続孔１３に、合成樹脂製の可撓管である電線管３３を接続する。さらに、隣接する電線管接続孔１３を、ノック部材１４を除去して開放し、その電線管接続孔１３に電線管３３を接続する。次いで、各電線管３３内にケーブルＫを挿通し、各ケーブルＫをそれぞれボックス本体１２内へ引込む。このとき、各ケーブルＫを、後にボックス本体１２の前面側に立設される壁材３４の前面側へ引き出すことができるように、各ケーブルＫを巻回して長さに余裕を持たせた余長部Ｙを設ける。そして、余長部Ｙを有するケーブルＫをそれぞれ収容空間内に収容する。このとき、収容空間は、設置スペースＳ１〜Ｓ３より形成されているため、余長部Ｙを有する一対のケーブルＫは余裕を持って収容空間内に収容される。また、設置スペースＳ１〜Ｓ３が全て開放されているため、一対のケーブルＫをボックス本体１２の収容空間に収容する作業が容易に行われる。
【００２８】
続いて、ボックス本体１２中央上下の配線器具取着部１５と、閉塞壁２１の上下の取付凹部２３とを位置合わせする。さらに、その配線器具取着部１５に隣接する取付溝１６ａと、支持脚２２とを位置合わせする。そして、各支持脚２２を取付溝１６ａ内に挿入し、各支持脚２２の端面をボックス本体１２の底面である底壁１２ａに当接させると、図４に示すように、底壁１２ａから一定長さだけ離れたボックス本体１２の開口側に閉塞壁２１が支持される。また、図１に示すように、この当接状態では、各取付突起２４が、それぞれ上壁１２ｂ及び下壁１２ｃの係合孔１６ｂに係合する。その結果、四本の支持脚２２により、閉塞壁２１がボックス本体１２の奥方へ移動することなく一定位置に支持されるとともに、取付突起２４と係合孔１６ｂとの係合関係により、ボックス本体１２に閉塞部材２０が容易に外れない状態に取付けられる。また、閉塞壁２１は、ボックス本体１２の開口端と同一平面上に位置している。
【００２９】
図４に示すように、三つの設置スペースＳ１〜Ｓ３のうち中央に位置する一つの設置スペースＳ２が一枚の閉塞壁２１により閉塞されている。そのため、ボックス本体１２の開口において、開放される面積は狭くなる。また、設置スペースＳ１と設置スペースＳ２との境界及び設置スペースＳ３と設置スペースＳ２の境界に沿って、それぞれガイド面２６が延びるように設けられている。即ち、各ガイド面２６は、それぞれ設置スペースＳ１の正面視における一側縁である右側縁と、設置スペースＳ３の正面視における一側縁である左側縁に沿って延びるように設けられている。また、両ガイド面２６は、それぞれボックス本体１２の開口を上下に横断する直線に沿って延びるようにボックス本体１２内に設けられている。
【００３０】
そして、図１に示すように、ガイド面２６よりもボックス本体１２の底壁１２ａ側には連通開口２９が位置し、開放される設置スペースＳ１，Ｓ３と、閉塞された設置スペースＳ２とが連通している。即ち、ボックス本体１２に閉塞壁２１が設けられた状態でも、開放された設置スペースＳ１，Ｓ３と、それらに隣接する設置スペースＳ２とが閉塞部材２０によって遮断されることがなく、設置スペースＳ１〜Ｓ３が連通する収容空間が確保されている。そして、ボックス本体１２と閉塞部材２０とより配線ボックス１１が形成される。
【００３１】
次に、図５に示すように、配線ボックス１１の前後両側に壁材３４（前側の壁材３４のみ図示）が立設され、配線ボックス１１が壁裏に配設される。このとき、閉塞壁２１がボックス本体１２の開口端面と同一平面上に位置するため、壁材３４の裏面にボックス本体１２の開口端面が当接し、ボックス本体１２と壁材３４との間に間隙が形成されない。そして、配線ボックス１１の前面側に立設された壁材３４に配線器具を設置するには、まず、ボックス本体１２の開口において、設置スペースＳ１を、配線器具設置用として開放させ、壁材３４の表側に向かって開放させる。
【００３２】
設置スペースＳ１を壁材３４の表側に臨ませるには、まず、壁材３４の表側において、設置スペースＳ１と対応する位置を、図示しない切断工具により切断し、さらに、同切断工具の刃部を設置スペースＳ１を形成する上壁１２ｂの内面に当接させる。そして、同上壁１２ｂの内面に沿って切断工具を移動させると、設置スペースＳ１の正面視における一側縁に沿って壁材３４が切断される。同様に、左側壁１２ｄの内面及び下壁１２ｃの内面に沿って切断工具を移動させると、設置スペースＳ１の正面視における二側縁に沿って壁材３４が切断される。さらに、ガイド面２６に沿って切断工具を移動させると、設置スペースＳ１の正面視における一側縁に沿って壁材３４が切断されるように切断工具が案内されるとともに、ボックス本体１２の開口を上下方向に横断する直線に沿って壁材３４が切断される。その結果、設置スペースＳ１の正面視における外郭となる四側縁に沿って壁材３４が切断され、設置スペースＳ１の正面視における形状と同形状の壁孔３４ａが壁材３４に穿設される。
【００３３】
その結果、壁孔３４ａにより、ボックス本体１２の開口のうち左側の設置スペースＳ１のみが壁材３４の表側に向かって開放され、その他の設置スペースＳ２及び設置スペースＳ３が壁材３４の裏側に隠れるとともに、設置スペースＳ２のみが閉塞壁２１により閉塞される。続いて、ボックス本体１２内の二本のケーブルＫをそれぞれ壁孔３４ａを通過させて壁材３４の表側に引出し、各ケーブルＫに配線器具を接続する。このとき、各ケーブルＫは余長部Ｙを有する状態で収容空間内に収容されていたため、各ケーブルＫの先端側が壁材３４の表側に十分引き出すことが可能となり、配線器具との接続作業が余裕を持って行われる。そして、図示しないが、配線器具は取付枠を用いてボックス本体１２に取付けられ、配線ボックス１１に収容、設置される。さらに、図示しない化粧プレートを用いて壁孔３４ａが覆われる。
【００３４】
このとき、壁孔３４ａの大きさは設置スペースＳ１と同じ大きさであるため、三つの設置スペースＳ１〜Ｓ３が設けられたボックス本体１２を使用しても、設置スペースＳ１のみが設けられるボックス本体を使用した際に適用される化粧プレートが使用される。即ち、化粧プレートを大型化することなく、壁孔３４ａを覆うことが可能となる。なお、ボックス本体１２に取付けられた閉塞部材２０を取り外すときは、一対の円孔２５に指を挿通し、その指を閉塞壁２１の裏面に引っ掛けて閉塞部材２０を、ボックス本体１２から離れる方向へ引張る。すると、取付突起２４と係合孔１６ｂとの係合が解除されて、閉塞部材２０がボックス本体１２から取り外される。
【００３５】
上記実施形態によれば、以下のような効果を得ることができる。
（１）配線ボックス１１は、三つの設置スペースＳ１〜Ｓ３よりなる収容空間を有しながら、閉塞部材２０によって設置スペースＳ２が閉塞されている。そのため、設置スペースＳ１の開口を利用して壁孔３４ａを壁材３４に穿設すると、設置スペースＳ１を収容空間とするボックス本体を利用したときに穿設される壁孔と同形状の壁孔３４ａを壁材３４に穿設することができる。また、連通開口２９により、設置スペースＳ１と隣接する設置スペースＳ２をはじめ設置スペースＳ３までが連通した収容空間をボックス本体１２内に確保することができる。そのため、ボックス本体１２内に余長部Ｙを有するケーブルＫを収容した状態で閉塞部材２０をボックス本体１２に取付けても、収容空間が遮断されることなく維持することができる。従って、壁孔３４ａを拡大することなく、余長部Ｙを有する一対のケーブルＫを余裕を持って収容可能とする収容空間を壁裏に確保することができる。特に、壁孔３４ａを覆うために使用される化粧プレートを大型化させることなく、壁面の美観の低下を防止することができる。また、収容空間の開口は、閉塞壁２１により一部閉塞されている。そのため、収容空間の開口全体が開放されている場合と異なり、壁材３４の表側から打ち込まれた釘等が収容空間内に侵入しにくくなる。従って、収容空間内に収容されたケーブルＫを釘等により損傷を受けにくくすることができる。
【００３６】
（２）設置スペースＳ１〜Ｓ３よりなる収容空間全体を、二本のケーブルＫの収容空間として使用することができる。従って、設置スペースＳ１のみが設けられたボックス本体内に、二本のケーブルＫを余長部Ｙを有した状態で収容する場合と異なり、各ケーブルＫのボックス本体１２内への収容作業を容易に行うことができる。さらに、狭い空間にケーブルＫを無理矢理曲げて押し込んだりする場合と異なり、ケーブルＫを緩やかに曲げた状態で収容することができるため、ケーブルＫが断線したりする虞を無くすことができる。特に、光ケーブルを収容するために配線ボックス１１を使用することにより、光ケーブルを、最小曲げ半径を確保して巻回することが可能となり、光ケーブルの挫屈による破損、伝搬率の低下を防止することができる。
【００３７】
（３）ボックス本体１２の開口は、ボックス本体１２と別体の閉塞部材２０を用いて閉塞される。そのため、ケーブルＫを収容空間内に収容した後、閉塞壁２１により開口を閉塞することが可能となり、ボックス本体１２の開口が予め閉塞されたボックス本体１２内にケーブルＫを収容する場合と比較して、ケーブルＫの収容空間内への収容作業を速やかかつ容易に行うことができる。また、閉塞部材２０は所望とする設置スペースＳ２を閉塞するため、ボックス本体１２の開口全体を閉塞するわけではなく、ボックス本体１２に対する取付位置を選択して取付けられる。従って、ボックス本体１２の開口全体が予め閉塞されている場合と異なり、所望とする設置スペースＳ１を開放するための作業を必要とせず、配線ボックス１１の形成を容易に行うことができる。
【００３８】
（４）また、閉塞部材２０は、ボックス本体１２の三つの設置スペースＳ１〜Ｓ３のうちのいずれか一つのみを閉塞可能な大きさに設定され、閉塞部材２０はボックス本体１２に対する取付位置を変更可能に形成されている。そのため、配線器具の設置位置に応じて閉塞部材２０の取付位置を変更し、閉塞する設置スペースＳ１〜Ｓ３の位置を変更することができる。従って、開放する設置スペースＳ１〜Ｓ３を変更することにより、柱３１に配線ボックス１１が固定されていても、配線器具の設置位置を変更することが可能となる。
【００３９】
（５）ガイド面２６により、設置スペースＳ１の一側縁に沿って切断工具を移動させることができ、設置スペースＳ１と同形状の壁孔３４ａを壁材３４に容易に穿設することができる。
【００４０】
（６）閉塞部材２０をボックス本体１２に取り付けたとき、閉塞壁２１の前面はボックス本体１２の開口端面と同一平面上に位置するため、壁材３４の裏面とボックス本体１２の開口側端面との間に間隙が形成されることがない。従って、切断工具を設置スペースＳ１内へ速やかに挿入することができ、壁孔３４ａの穿設作業を速やかに行うことができる。また、壁材３４裏に配線ボックス１１が設置されている状態では、ボックス本体１２の開口側端面と壁材３４の裏面との間から内部に異物等が侵入するのを防止することができる。
【００４１】
（７）閉塞部材２０をボックス本体１２に取付けたとき、支持脚２２が底壁１２ａに当接するため、底壁１２ａから一定長さ離れたボックス本体１２内の開口側に閉塞壁２１が支持される。そのため、万一、釘等の侵入物が壁材３４を貫通して閉塞壁２１に当接しても閉塞壁２１がボックス本体１２内奥方へ移動することが防止される。従って、閉塞部材２０により収容空間が遮断される不具合が発生せず、ケーブルＫが閉塞壁２１により押されて損傷を受けたり、曲げられたりする虞を無くすことができる。
【００４２】
（８）取付突起２４と係合孔１６ｂとの係合及び支持脚２２の取付溝１６ａへの挿入により、閉塞部材２０はボックス本体１２に容易に外れないように取付けられる。そのため、閉塞壁２１のボックス本体１２内における位置ずれ等を防止することができ、設置スペースＳ１，Ｓ３の開放状態を維持することができる。従って、壁材３４を切断工具により切断するとき、閉塞壁２１が移動して壁孔３４ａの形状が変化したり、設置スペースＳ１が狭くなり、配線器具の取付作業が困難になるといった不具合を無くすことができる。
【００４３】
（９）閉塞部材２０には取付凹部２３が凹設されているため、閉塞部材２０をボックス本体１２に取り付けたとき、閉塞部材２０により配線器具取着部１５を覆うことなくボックス本体１２の開口側に臨ませることができる。従って、配線器具取着部１５を、配線器具をボックス本体１２に取着するために使用することができる。即ち、設置スペースＳ１〜Ｓ３のいずれかを閉塞する部材を、配線器具取着部１５を使用してボックス本体１２に取付け、その部材に設けられた取着部を使用して配線器具をボックス本体１２に取付ける必要が無くなる。従って、ボックス本体１２に対する部材の取付作業を増やすことなく配線器具をボックス本体１２に取付けることができる。
【００４４】
なお、上記実施形態は以下のように変更してもよい。
・  実施形態では、取付突起２４と係合孔１６ｂとの係合及び支持脚２２の取付溝１６ａへの挿入により、閉塞部材２０をボックス本体１２に取付けたが、以下のように変更してもよい。即ち、取付溝１６ａ及び支持脚２２の少なくともいずれか一方を省略し、取付突起２４と係合孔１６ｂの係合のみによって閉塞部材２０をボックス本体１２に取り付けてもよい。又は取付突起２４及び係合孔１６ｂの少なくともいずれか一方を省略して、取付溝１６ａに対する支持脚２２の挿入のみによって閉塞部材２０をボックス本体１２に取り付けてもよい。
【００４５】
・  取付突起２４と、係合孔１６ｂとの係合により閉塞部材２０をボックス本体１２に取付けたが以下のように変更してもよい。閉塞壁２１に取付部としての係合孔を凹設し、ボックス本体１２の上壁１２ｂ及び下壁１２ｃに取付手段としての取付突起を形成して互いの係合により閉塞部材２０をボックス本体１２に取り付けて配線ボックス１１を形成してもよい。
【００４６】
・  実施形態では、閉塞壁２１がボックス本体１２の開口側端面と同一平面上に位置するように支持脚２２の長さ及び取付突起２４の位置を設定したが、閉塞壁２１がボックス本体１２の開口側端面より内側に位置するように支持脚２２の長さ及び取付突起２４の位置を変更してもよい。
【００４７】
・  実施形態では、閉塞部材２０にガイド面２６を設けたが、ガイド面２６を省略し、閉塞壁２１の縁部により切断工具を案内させてもよい。
・  実施形態では、ボックス本体１２内に、上下一対の配線器具取着部１５を三箇所に形成し、三つの設置スペースＳ１〜Ｓ３を形成したが、以下のように変更してもよい。例えば、ボックス本体１２を実施形態より小型化し、そのボックス本体１２内部に上下一対の配線器具取着部１５を二箇所だけ形成し、二つの設置スペースを形成する。そして、いずれか一方の設置スペースを開放し、他方を閉塞壁２１により閉塞するとともに、壁材３４の裏側に隠してもよい。
【００４８】
又はボックス本体１２を実施形態より大型化し、そのボックス本体１２内部に上下一対の配線器具取着部１５を四箇所以上に形成し、四つ以上の設置スペースを形成する。そして、いずれかの設置スペースを開放し、他を閉塞壁２１により閉塞するとともに、壁材３４の裏側に隠してもよい。このとき、閉塞部材２０の取付位置を変更して、開放される設置スペースの大きさ、位置等を変更してもよい。また、閉塞部材２０により全ての設置スペースを閉塞し、ボックス本体１２の全ての設置スペースが閉塞された状態で、開放させる一つ又は二つ以上の設置スペースに対応する閉塞部材２０を除去してもよい。
【００４９】
・  実施形態では、閉塞部材２０により設置スペースＳ２を閉塞したが、さらに設置スペースＳ１又は設置スペースＳ３を閉塞するために閉塞部材２０をもう一体使用してもよい。このとき、取付溝１６ａには支持脚２２が挿入できないため、新たに取付けられる閉塞部材２０の支持脚２２を除去し、取付突起２４と係合孔１６ｂとの係合によりボックス本体１２に閉塞部材２０を取付ける。
【００５０】
・  実施形態では、閉塞部材２０により設置スペースＳ２を閉塞したが、さらに設置スペースＳ１及び設置スペースＳ３の両方、即ち全ての設置スペースＳ１〜Ｓ３を閉塞するために閉塞部材２０をもう二体使用してもよい。このとき、取付溝１６ａには支持脚２２が挿入できないため、新たに取付けられる閉塞部材２０の支持脚２２を除去し、取付突起２４と係合孔１６ｂとの係合によりボックス本体１２に閉塞部材２０を取付ける。そして、配線ボックス１１を使用するときに、開放させる一つ又は二つの設置スペースに対応する閉塞部材２０を除去してもよい。
【００５１】
・  実施形態では、設置スペースＳ１のみを壁孔３４ａから壁材３４の表側に開放させたが、設置スペースＳ３と対応する壁孔３４ａを壁材３４に穿設して、設置スペースＳ３も壁材３４の表側に開放させ、設置スペースＳ２のみを壁材３４の裏側に隠れるように配置してもよい。
【００５２】
・  実施形態では、閉塞壁２１を一つの設置スペースの正面形状の略１倍の大きさとし、一つの設置スペースを閉塞する大きさに形成したが、閉塞壁２１を二つ、三つといった一つの設置スペースの正面形状の整数倍の大きさとし、二つ以上の設置スペースを閉塞する大きさに形成してもよい。
【００５３】
・  実施形態では、壁孔３４ａを穿設するとき、上壁１２ｂ、左側壁１２ｄ、下壁１２ｃ、ガイド面２６の順序で切断工具を案内させたが、切断工具を案内させる順序を任意に変更してもよい。
【００５４】
・  実施形態では、閉塞壁２１の大きさを一つの設置スペースを閉塞可能な大きさに形成したが、閉塞壁２１の大きさを三つの設置スペースのうち二つを閉塞可能な大きさに形成してもよい。
【００５５】
・  実施形態では、閉塞壁２１の四隅に支持脚２２を設けたが、図３に２点鎖線に示すように、閉塞壁２１の相対向する一対の長辺の中央部に支持脚２２を設けてもよい。このように構成した場合、例えば、ボックス本体１２の中央に閉塞部材２０を取付け、設置スペースＳ１，Ｓ３を開放させるとともに、左側の設置スペースＳ１内に一対の強電ケーブルを引込む。一方、右側の設置スペースＳ３内に一本の弱電ケーブルを引込む。このとき、一対の強電ケーブルを、左側の設置スペースＳ１から閉塞壁２１の裏側にまで延びる収容空間を使用して収容し、弱電ケーブルを右側の設置スペースＳ３内に収容する。すると、閉塞部材２０において三本の支持脚２２により、ボックス本体１２内が仕切られ、強電ケーブルと弱電ケーブルとが交わりにくくなる。
【００５６】
・  実施形態では、全ての設置スペースＳ１〜Ｓ３によって収容空間を構成したが、壁材３４の表側に向かって開放された設置スペースＳ１と、同設置スペースＳ１に隣接する設置スペースＳ２とを収容空間としてもよい。
【００５７】
次に、上記実施形態及び別例から把握できる技術的思想について、それらの効果とともに以下に追記する。
（１）前記閉塞壁は設置スペースの整数倍の大きさに形成されていることを特徴とする請求項１〜請求項４のいずれか一項に記載の配線ボックス。このように構成した場合、設置スペースの大きさ毎に閉塞壁により閉塞することができる。
【図面の簡単な説明】
【００５８】
【図１】実施形態の配線ボックスを示す斜視図。
【図２】実施形態のボックス本体を示す平面図。
【図３】実施形態の閉塞部材を示す斜視図。
【図４】実施形態の配線ボックスを柱に固定した状態を示す正面図。
【図５】壁材裏に設置された配線ボックスを示す正面図。
【符号の説明】
【００５９】
Ｓ１〜Ｓ３…設置スペース、Ｙ…余長部、１１…配線ボックス、１２…ボックス本体、１５…配線器具取着部、１６ａ…取付手段としての取付溝、１６ｂ…取付手段としての係合孔、２０…閉塞部材、２１…閉塞壁、２２…取付部としての支持脚、２４…取付部としての取付突起、２６…ガイド面、２９…連通開口、３４…壁材。
【図１】
2005110365.tif 000003
【図２】
2005110365.tif 000004
【図３】
2005110365.tif 000005
【図４】
2005110365.tif 000006
【図５】
2005110365.tif 000007